(57)【要約】【課題】  改質ガスを効率良く利用するとともに、ガス改質炉内の空気比を低下させ、しかも、熱分解ガスの改質反応を促進させるとともにガス改質炉において生成する煤のガス化を促進させることができる熱分解ガス化改質装置の提供。【解決手段】  熱分解ガス化改質装置は、熱分解ガス２１を生成する熱分解炉１と、熱分解炉１から送られてくる熱分解ガス２１を加熱して改質ガス２２にするガス改質炉２と、ガス改質炉２から送られてくる改質ガス２２の有する熱エネルギーを利用して混合ガス１２を加熱する空気熱交換器３と、空気熱交換器３で加熱された混合ガス１２をガス改質炉２へ送る空気搬送管１０とを備えている。混合ガス１２は、改質反応用空気１２ａと改質反応促進ガス１２ｂとを有する。改質反応促進ガス１２ｂは、ガス改質炉２において熱分解ガス２１と反応してこの熱分解ガス２１を改質ガス２２に改質するものである。【選択図】  図１
2005298264.tif 000002
【特許請求の範囲】
【請求項１】
被処理物を熱分解して熱分解ガスを生成する熱分解炉と、
熱分解炉から送られてくる熱分解ガスを加熱して改質ガスにするガス改質炉と、
ガス改質炉から送られてくる改質ガスの有する熱エネルギーを利用して、改質反応用空気と改質反応促進ガスとを有する混合ガスを加熱する空気熱交換器と、
空気熱交換器とガス改質炉とを接続し、空気熱交換器で加熱された混合ガスをガス改質炉へ送る空気搬送管とを備え、
改質反応促進ガスは、ガス改質炉において熱分解炉から送られてくる熱分解ガスと反応してこの熱分解ガスを改質ガスに改質するものであることを特徴とする熱分解ガス化改質装置。
【請求項２】
改質反応促進ガスが水蒸気であることを特徴とする請求項１記載の熱分解ガス化改質装置。
【請求項３】
空気熱交換器から送られてくる改質ガスをボイラ給水により冷却するボイラを更に備え、
ボイラにおいてボイラ給水は改質ガスと熱交換を行い水蒸気として排出され、
改質反応促進ガスがこのボイラから排出された水蒸気の一部であることを特徴とする請求項１記載の熱分解ガス化改質装置。
【請求項４】
改質反応促進ガスが二酸化炭素であることを特徴とする請求項１記載の熱分解ガス化改質装置。
【請求項５】
改質反応促進ガスが水蒸気と二酸化炭素とを混合したガスであることを特徴とする請求項１記載の熱分解ガス化改質装置。
【請求項６】
空気熱交換器から送られてくる改質ガスをボイラ給水により冷却するボイラを更に備え、
ボイラにおいてボイラ給水は改質ガスと熱交換を行い水蒸気として排出され、
改質反応促進ガスがこのボイラから排出された水蒸気の一部と二酸化炭素とを混合したガスであることを特徴とする請求項１記載の熱分解ガス化改質装置。
【請求項７】
混合ガスが、改質反応用空気と、改質反応促進ガスとして含まれる富化された二酸化炭素とを有することを特徴とする請求項１記載の熱分解ガス化改質装置。
【発明の詳細な説明】
【技術分野】
【０００１】
本発明は、被処理物を熱分解して生成される熱分解ガスを加熱して、化学的に安定でかつ低位発熱量を有する改質ガスに改質する熱分解ガス化改質装置に関する。
【背景技術】
【０００２】
一般に、一般廃棄物やカーシュレッダーダスト等の有機系廃棄物等は、熱分解残渣と熱分解ガスとに熱分解される。このように、廃棄物を熱分解して生成される熱分解ガスは、環境に対して有害である高分子の炭化水素を多量に含んでいる。このため、熱分解ガスは、高温環境下のガス改質炉で加熱され、熱分解ガス中の高分子の炭化水素は、水素、一酸化炭素、メタン等の低分子量、低位発熱量の化学的に安定した物質へ化学変化する。このようにして、熱分解ガスは性状が比較的安定した改質ガスに改質される。
【０００３】
改質ガスは、さらに、空気熱交換器で冷却され、その後、脱塩処理、脱硫処理、ダスト回収処理等の浄化処理が施されて精製ガスに精製される。この精製ガスは、他の処理施設に送られて熱源として活用される、あるいは大気中に放出されるのが一般的である。
【０００４】
このような熱分解ガス化改質装置としては、例えば図８に示すような構成を有する装置を用いることができる。
図８は、従来の熱分解ガス化改質装置の処理システムを示す説明図である。
【０００５】
この熱分解ガス化改質装置は、被処理物１１を熱分解残渣２０と熱分解ガス２１とに熱分解する熱分解炉１と、熱分解炉１に接続され、熱分解炉１から送られてくる熱分解ガス２１を加熱して改質ガス２２に改質するガス改質炉２とを備えている。ガス改質炉２における高温状態の維持は、熱分解ガス２１の一部を燃焼することにより行われる。
【０００６】
ガス改質炉２には空気熱交換器３が接続され、空気熱交換器３は、ガス改質炉２から送られてくる改質ガス２２を、酸素を有する改質反応用空気１２ａにより冷却するようになっている。したがって、この改質反応用空気１２ａは改質ガス２２によって加熱されることとなる。
【０００７】
ガス改質炉２と空気熱交換器３とは空気搬送管１０により接続され、空気熱交換器３で加熱された改質反応用空気１２ａは空気搬送管１０を通ってガス改質炉２に送られる。このガス改質炉２に送られた改質反応用空気１２ａは、ガス改質炉２における熱分解ガス２１の燃焼に利用される。
【０００８】
空気熱交換器３には改質ガス２２を急速に冷却するボイラ４が接続されており、ボイラ４には改質ガス２２を精製するガス浄化装置５が接続されている。ガス浄化装置５において生成された精製ガス２３はガス発電機６へ送られて燃料として活用される。
【０００９】
ここで、ガス改質炉２内において、酸素を含有する空気が過度に存在している場合には、改質ガス２２中の有用な燃料成分（一酸化炭素および水素）が空気中の酸素と反応して損失する結果を招くことから、ガス改質炉２内における空気量の比率（以下、「空気比」ともいう。）は、望ましくは、熱分解ガス２１の改質反応に要する反応熱を補給する上で必要な最小限のものとされることが望ましい。
また、ガス改質炉２においては、改質反応により不可避的に煤が発生するという問題があり、ガス改質炉２内における空気比が減少するとこの煤の発生量が増加する傾向がある。
【００１０】
そこで、水蒸気・空気加熱装置（図示せず）により例えば５００℃以上に加熱された改質反応用空気と水蒸気との混合ガスをガス改質炉２に直接添加する方法が知られている（例えば、特許文献１参照）。水蒸気・空気加熱装置における改質反応用空気と水蒸気との混合ガスの加熱は、ガス改質炉２において改質された改質ガス２２の一部を燃焼することにより行われる。
この方法により、ガス改質炉２内を所定の高温に保ちながら、このガス改質炉２における空気比を低下させることができ、しかも、水蒸気をガス改質炉２に加えることにより、煤をガス化することができる。
【００１１】
【特許文献１】特開２００２−３３８９７６号公報
【発明の開示】
【発明が解決しようとする課題】
【００１２】
しかしながら、上述の水蒸気・空気加熱装置により加熱された改質反応用空気と水蒸気との混合ガスをガス改質炉２に直接添加する方法においては、以下のような問題がある。
すなわち、水蒸気・空気加熱装置における改質反応用空気と水蒸気との混合ガスの加熱は、ガス改質炉２において改質された改質ガス２２の一部を燃焼することにより行われるので、ガス浄化装置５に送られる改質ガス２２の量が減少し、よって生成される精製ガス２３の量が減少することとなる。このため、装置全体としてのエネルギー効率が低下するという問題がある。
【００１３】
本発明は、このような点を考慮してなされたものであり、ガス改質炉で生成される改質ガスを効率良く利用するとともに、ガス改質炉内の空気比を低下させ、しかも、熱分解ガスの改質反応を促進させるとともにガス改質炉において生成する煤のガス化を促進させ、これにより、装置全体としてのエネルギー効率を向上させることができる熱分解ガス化改質装置を提供することを目的とする。
【課題を解決するための手段】
【００１４】
本発明は、被処理物を熱分解して熱分解ガスを生成する熱分解炉と、熱分解炉から送られてくる熱分解ガスを加熱して改質ガスにするガス改質炉と、ガス改質炉から送られてくる改質ガスの有する熱エネルギーを利用して、改質反応用空気と改質反応促進ガスとを有する混合ガスを加熱する空気熱交換器と、空気熱交換器とガス改質炉とを接続し、空気熱交換器で加熱された混合ガスをガス改質炉へ送る空気搬送管とを備え、改質反応促進ガスは、ガス改質炉において熱分解炉から送られてくる熱分解ガスと反応してこの熱分解ガスを改質ガスに改質するものであることを特徴とする熱分解ガス化改質装置である。
本発明の熱分解ガス化改質装置によれば、混合ガスを加熱するために改質ガスを燃焼する必要がなく、得られる改質ガス量の減少を抑制することができるので、改質ガスを効率良く利用することができ、しかも、ガス改質炉内の空気比を低下させることができ、また、改質反応促進ガスがガス改質炉へ送られるので、熱分解ガスの改質反応を促進させるとともにガス改質炉において生成する煤のガス化を促進させることができる。
【００１５】
本発明の熱分解ガス化改質装置においては、改質反応促進ガスが水蒸気であることが好ましい。
【００１６】
本発明の熱分解ガス化改質装置においては、空気熱交換器から送られてくる改質ガスをボイラ給水により冷却するボイラを更に備え、ボイラにおいてボイラ給水は改質ガスと熱交換を行い水蒸気として排出され、改質反応促進ガスがこのボイラから排出された水蒸気の一部であることが好ましい。
【００１７】
本発明の熱分解ガス化改質装置においては、改質反応促進ガスが二酸化炭素であることが好ましい。
【００１８】
本発明の熱分解ガス化改質装置においては、改質反応促進ガスが水蒸気と二酸化炭素とを混合したガスであることが好ましい。
【００１９】
本発明の熱分解ガス化改質装置においては、空気熱交換器から送られてくる改質ガスをボイラ給水により冷却するボイラを更に備え、ボイラにおいてボイラ給水は改質ガスと熱交換を行い水蒸気として排出され、改質反応促進ガスがこのボイラから排出された水蒸気の一部と二酸化炭素とを混合したガスであることが好ましい。
【００２０】
改質反応促進ガスが水蒸気または水蒸気と二酸化炭素とを混合したガスである場合において、この水蒸気としてボイラから排出された水蒸気の一部を用いたときには、ボイラから排出された水蒸気を再利用することができるので、装置全体としてのエネルギー効率をより向上させることができる。
【００２１】
本発明の熱分解ガス化改質装置においては、混合ガスが、改質反応用空気と、改質反応促進ガスとして含まれる富化された二酸化炭素とを有することが好ましい。ここで、このような混合ガスとして用いられる二酸化炭素富化改質反応用空気は、単位体積あたりの当該二酸化炭素富化改質反応用空気に対して含有される二酸化炭素の体積の割合が１％以上であるものをいう。
これにより、より一層、熱分解ガスの改質反応を促進させるとともにガス改質炉における熱分解ガスの改質反応を促進させることができる。
【発明の効果】
【００２２】
本発明によれば、熱分解ガス化改質装置において、改質反応用空気と改質反応促進ガスとを有する混合ガスが空気熱交換器において加熱され、この加熱された混合ガスがガス改質炉へ送られる。このため、混合ガスを加熱するために改質ガスを燃焼する必要がなく、得られる改質ガス量の減少を抑制することができるので、改質ガスを効率良く利用することができる。しかも、ガス改質炉内の空気比を低下させることができる。また、改質反応促進ガスがガス改質炉へ送られるので、熱分解ガスの改質反応を促進させるとともにガス改質炉において生成する煤のガス化を促進させることができる。
【発明を実施するための最良の形態】
【００２３】
図１乃至図７を参照して本発明の実施の形態について説明する。
図１は、本発明の実施の形態における熱分解ガス化改質装置の処理システムを示す説明図であり、図２乃至図７は、本発明の実施の形態における他の構成のガス化改質装置の熱分解処理システムを示す説明図である。
【００２４】
図１において、熱分解ガス化改質装置は、一般廃棄物等の被処理物１１を熱分解して熱分解残渣２０と熱分解ガス２１とを生成する熱分解炉１と、熱分解炉１に接続され、熱分解炉１から送られてくる熱分解ガス２１を加熱して改質し改質ガス２２を生成するガス改質炉２とを備えている。
【００２５】
ガス改質炉２には空気熱交換器３が接続され、空気熱交換器３は、ガス改質炉２から送られてくる改質ガス２２を、改質反応用空気１２ａと改質反応促進ガス１２ｂとを有する混合ガス１２により冷却するようになっている。このため、混合ガス１２は、空気熱交換器３において改質ガス２２によって加熱される。
【００２６】
混合ガス１２のうち、改質反応用空気１２ａは酸素および窒素を有し、後述のようにガス改質炉２から送られる熱分解ガス２１の燃焼に利用される。また、改質反応促進ガス１２ｂは、ガス改質炉２において熱分解炉１から送られてくる熱分解ガス２１と反応してこの熱分解ガス２１を改質ガス２２に改質するものである。
【００２７】
ガス改質炉２と空気熱交換器３とは空気搬送管１０により接続されており、改質ガス２２の有する熱エネルギーを吸収して加熱された混合ガス１２は、空気搬送管１０を通ってガス改質炉２に送られる。
【００２８】
空気熱交換器３にはボイラ４が接続されており、このボイラ４は、空気熱交換器３から送られてくる改質ガス２２をボイラ給水１３により急速に冷却するようになっている。
ボイラ４においてボイラ給水１３は改質ガス２２と熱交換を行うことによって水蒸気１５として排出されるようになっている。
【００２９】
また、ボイラ４にはガス浄化装置５が接続されており、ガス浄化装置５は、ボイラ４から送られてくる改質ガス２２に浄化処理を施して性状が非常に安定した精製ガス２３を生成するものである。このようにして生成された精製ガス２３は、ガス発電機６へ送られて燃料として活用されている。
【００３０】
本実施の形態においては、改質反応促進ガス１２ｂは、図２に示すように水蒸気１２ｃであってもよく、水蒸気１２ｃは、図３に示すようにボイラ４から排出された水蒸気１５の一部であってもよい。
【００３１】
あるいは、改質反応促進ガス１２ｂは、図４に示すように二酸化炭素１２ｄであってもよい。
また、改質反応促進ガス１２ｂは、図５に示すように水蒸気１２ｃと二酸化炭素１２ｄとを混合したガスであってもよく、図６に示すようにこの水蒸気１２ｃがボイラ４から排出された水蒸気１５の一部であってもよい。
【００３２】
さらには、混合ガス１２が、改質反応用空気１２ａと、改質反応促進ガス１２ｂとして含まれる富化された二酸化炭素１２ｄとを有する二酸化炭素富化改質反応用空気１２ｅであってもよい。
ここで、二酸化炭素富化改質反応用空気１２ｅは、単位体積あたりの当該二酸化炭素富化改質反応用空気１２ｅに対して含有される二酸化炭素の体積の割合が１％以上であるものをいう。
【００３３】
次にこのような構成からなる本実施の形態の作用について説明する。
【００３４】
図１乃至図７において、熱分解処理が必要とされる一般廃棄物等の被処理物１１は、熱分解炉１に投入される。このとき、被処理物１１は、特別な処理が加えられないで熱分解炉１に直接投入される場合もあるが、通常は、破砕機（図示せず）により被処理物１１を破砕して、破選機（図示せず）により鉄類等の磁選物の選別処理を行い、乾燥機（図示せず）により被処理物１１を乾燥した後に、被処理物１１は熱分解炉１に投入される。
【００３５】
熱分解炉１は、無酸素状態あるいは酸素不足の雰囲気の下で約４００℃〜６００℃まで直接的あるいは間接的に加熱されている。このような熱分解炉１に投入された被処理物１１は、熱分解残渣２０と、高分子量の炭化水素を主要成分として含む熱分解ガス２１とに熱分解される。
【００３６】
このうち、熱分解残渣２０は、炭素分を多量に含むので、電炉の還元剤やセメントキルンの燃料等として系外にマテリアルリサイクルされたり、溶解炉で熱分解残渣２０中の灰成分を溶融して可燃性の溶融ガスを生成したりして、適切な無害化処理が施される。他方、熱分解ガス２１は、ガス改質炉２に送られる。
【００３７】
ガス改質炉２に送られた熱分解ガス２１は、約１０００℃〜１２００℃で加熱されており、熱分解ガス２１の主要成分である高分子量の炭化水素は、水素、一酸化炭素、メタン等の低分子量、低位発熱量の化学的に安定した物質へ改質される。以下に、このガス改質炉２における改質反応について詳述する。
【００３８】
具合的には、ガス改質炉２において、熱分解炉１から送られてきた熱分解ガス２１の一部を燃焼することにより、残りの熱分解ガス２１が加熱され。
同時に、後述のように、空気熱交換器３から空気搬送管１０を経て改質反応用空気１２ａと改質反応促進ガス１２ｂとを含む混合ガス１２がガス改質炉２に供給される。ガス改質炉２内において、混合ガス１２中の改質反応促進ガス１２ｂは、熱分解炉１から送られてくる熱分解ガス２１との間で吸熱反応を行う。
【００３９】
例えば、改質反応促進ガス１２ｂが水蒸気１２ｃである場合（図２、３参照）には、下記（１）式に基づいて、熱分解ガス２１との間で吸熱反応を行う。また、改質反応促進ガス１２ｂが二酸化炭素１２ｄである場合（図４、７参照）には、下記（２）式に基づいて、熱分解ガス２１との間で吸熱反応を行う。また、改質反応促進ガス１２ｂが水蒸気１２ｃと二酸化炭素１２ｄとの混合ガスである場合（図５、６参照）には、下記（１）、（２）式に基づいて、熱分解ガス２１との間で吸熱反応を行う。
【００４０】
化学式（１）  ＣＸＨＸ＋Ｈ２Ｏ→ＣＯ＋Ｈ２＋Ｈ２Ｏ
化学式（２）  ＣＸＨＸ＋ＣＯ２→ＣＯ＋Ｈ２＋Ｈ２Ｏ
（化学式（１）および（２）においては、化合物の係数は省略されている。）
【００４１】
また、ガス改質炉２内においては、空気比が低下することにより改質反応によって煤が発生するが、混合ガス１２中の改質反応促進ガス１２ｂが煤と反応することにより、この煤がガス化されることとなる。
【００４２】
上記のような反応により、ガス改質炉２内で改質ガス２２が生成される。
【００４３】
ガス改質炉２において生成された改質ガス２２は空気熱交換器３へ送られる。ガス改質炉２から排出される改質ガス２２は、このガス改質炉２で加熱されて約１０００℃という高温となっているが、空気熱交換器３において改質ガス２２は混合ガス１２により冷却され、改質ガス２２の有する熱エネルギーが混合ガス１２により吸収されて約５００℃まで冷却される。
【００４４】
このとき、前述のように、空気熱交換器３において改質ガス２２の熱エネルギーを吸収して加熱された混合ガス１２は、空気搬送管１０を通ってガス改質炉２へ送られる。
【００４５】
ここで、ガス改質炉２では、前述のように、熱分解ガス２１を改質ガス２２に改質するために、ガス改質炉２内の酸素を用いて熱分解ガス２１の一部を燃焼して、残りの熱分解ガス２１を約１０００℃〜１２００℃に加熱している。このとき、燃焼には関与しないガス改質炉２内の空気中の窒素等の不活性ガスも、熱分解ガス２１の燃焼によって、約１０００℃〜１２００℃に加熱される。このように、熱分解ガス２１および不活性ガスを約１０００℃〜１２００℃に加熱する場合には、熱分解ガス２１の燃焼の際に供給される混合ガス１２の温度が約１０００℃〜１２００℃に近いほど、熱分解ガス２１の燃焼によって発生させる熱量は少なくてすむ。
【００４６】
このため、空気熱交換器３で加熱されて空気搬送管１０を経てガス改質炉２へ送られた混合ガス１２中の改質反応用空気１２ａを利用して熱分解ガス２１を燃焼させることにより、熱分解ガス２１の燃焼量を減少させ、熱分解ガス２１の燃焼の際に生じる二酸化炭素や水蒸気のような不活性成分の発生量を減少させることができる。これにより、ガス改質炉２において生成される改質ガス２２中の不活性成分が減少して、可燃性成分を増加させることができ、改質ガス２２の低位発熱量を増加させることができる。
【００４７】
空気熱交換器３において約５００℃まで冷却された改質ガス２２は、ボイラ４に送られる。ボイラ４に送られた改質ガス２２は、ボイラ給水１３により急速に冷却されて短時間で約２００℃以下の温度とされる。また、改質ガス２２を冷却するために使用されたボイラ給水１３は水蒸気１５となり、この水蒸気１５は、熱分解炉１に投入する前の被処理物１１を乾燥させる乾燥機の熱源として利用されたり、給湯や冷暖房等に余熱利用されたりする。
また、混合ガス１２の改質反応促進ガス１２ｂとして水蒸気１２ｃが用いられる場合には、ボイラ４から排出される水蒸気１５の一部をこの水蒸気１２ｃとして利用することができ、これにより、ボイラ４から排出される水蒸気１５の再利用を図ることができる。
【００４８】
ボイラ４で急速に冷却された改質ガス２２は、ガス浄化装置５に送られる。ガス浄化装置５では、バグフィルターにより改質ガス２２の脱塵処理を行ったり、改質ガス２２中の塩化水素等の酸性ガス成分やアンモニア等の微量有害成分を湿式洗浄によって除去したり、改質ガス２２中の硫化水素等の硫化物を脱硫機によって除去したりして、改質ガス２２の浄化処理が行われる。このように、改質ガス２２を浄化処理することによって、改質ガス２２から性状の安定した精製ガス２３が生成される。
【００４９】
ガス浄化装置５で浄化処理された精製ガス２３は、ガス発電機６へ送られて、発電用の燃料として活用されている。なお、精製ガス２３は、ガス発電機６だけではなく、ボイラ４や工業用炉等の熱機器において使用される燃料や化学プロセスの原料として利用することもできる。
【００５０】
以上のように、本実施の形態によれば、熱分解ガス化改質装置において、改質反応用空気１２ａと改質反応促進ガス１２ｂとを有する混合ガス１２が空気熱交換器３において加熱され、この加熱された混合ガス１２がガス改質炉２へ送られる。このため、混合ガス１２を加熱するために改質ガス２２を燃焼する必要がなく、得られる改質ガス２２の量の減少を抑制することができるので、改質ガス２２を効率良く利用することができる。しかも、ガス改質炉２内の空気比を低下させることができる。また、改質反応促進ガス１２ｂがガス改質炉２へ送られるので、熱分解ガス２１の改質反応を促進させるとともにガス改質炉２において生成する煤のガス化を促進させることができる。
【００５１】
改質反応促進ガス１２ｂは、ガス改質炉２において熱分解炉１から送られてくる熱分解ガス２１と反応してこの熱分解ガス２１を改質ガス２２に改質するものが用いられる。このような改質反応促進ガス１２ｂとしては、水蒸気１２ｃ、二酸化炭素１２ｄまたは水蒸気１２ｃと二酸化炭素１２ｄとを混合したガスを用いることができる。
【００５２】
改質反応促進ガス１２ｂが水蒸気１２ｃまたは水蒸気１２ｃと二酸化炭素１２ｄとを混合したガスである場合には、この水蒸気１２ｃとしてボイラ４から排出された水蒸気１５の一部を用いることができる。これにより、ボイラ４から排出された水蒸気１５を再利用することができるので、装置全体としてのエネルギー効率をより向上させることができる。
【００５３】
また、混合ガス１２として、改質反応用空気と、改質反応促進ガスとして含まれる富化された二酸化炭素とを有する二酸化炭素富化改質反応用空気１２ｅを用いることができる。このような混合ガス１２を用いることにより、より一層、熱分解ガス２１の改質反応を促進させるとともにガス改質炉２における熱分解ガス２１の改質反応を促進させることができる。
【図面の簡単な説明】
【００５４】
【図１】本発明の実施の形態における熱分解ガス化改質装置の処理システムを示す説明図。
【図２】本発明の実施の形態における他の構成の熱分解ガス化改質装置の処理システムを示す説明図。
【図３】本発明の実施の形態における更に他の構成の熱分解ガス化改質装置の処理システムを示す説明図。
【図４】本発明の実施の形態における更に他の構成の熱分解ガス化改質装置の処理システムを示す説明図。
【図５】本発明の実施の形態における更に他の構成の熱分解ガス化改質装置の処理システムを示す説明図。
【図６】本発明の実施の形態における更に他の構成の熱分解ガス化改質装置の処理システムを示す説明図。
【図７】本発明の実施の形態における更に他の構成の熱分解ガス化改質装置の処理システムを示す説明図。
【図８】従来の熱分解ガス化改質装置の処理システムを示す説明図。
【符号の説明】
【００５５】
１  熱分解炉
２  ガス改質炉
３  空気熱交換器
４  ボイラ
５  ガス浄化装置
６  ガス発電機
１０  空気搬送管
１１  被処理物
１２  混合ガス
１２ａ  改質反応用空気
１２ｂ  改質反応促進ガス
１２ｃ  水蒸気
１２ｄ  二酸化炭素
１２ｅ  二酸化炭素富化改質反応用空気
１３  ボイラ給水
１５  水蒸気
２０  熱分解残渣
２１  熱分解ガス
２２  改質ガス
２３  精製ガス
【図１】
2005298264.tif 000003
【図２】
2005298264.tif 000004
【図３】
2005298264.tif 000005
【図４】
2005298264.tif 000006
【図５】
2005298264.tif 000007
【図６】
2005298264.tif 000008
【図７】
2005298264.tif 000009
【図８】
2005298264.tif 000010